(57)【要約】【課題】部材交換の作業負担を軽減させる。【解決手段】遊技媒体を利用して遊技を行う遊技機であって、外部から供給された遊技媒体を受け取り、上記遊技によって所定の払出条件が成立するとその遊技媒体を払い出す遊技媒体受け払出機構部と、この遊技媒体受け払出機構部が取り付けられる取付部とを備える。遊技媒体受け払出機構部は、遊技媒体を受ける受け部と、受け部から遊技媒体を受け取って排出する遊技球通路部と、遊技球通路部から排出された遊技球を、払出条件が成立すると払い出す払出部とを有する。遊技球通路部および払出部は、ガイドレールによって保持された状態で水平方向にスライド移動させることによって位置決めした後、取付部に取付可能となっている。【選択図】図６
2018143813.tif 000002
【特許請求の範囲】
【請求項１】
遊技媒体を利用して遊技を行う遊技機であって、
外部から供給された前記遊技媒体を受け取り、前記遊技によって所定の払出条件が成立すると該遊技媒体を払い出す遊技媒体受け払出機構部と、
前記遊技媒体受け払出機構部が取り付けられる取付部と
を備え、
前記遊技媒体受け払出機構部は、
外部から供給された前記遊技媒体を受け取る受け部と、
前記受け部から前記遊技媒体を受け取って、内部に形成された遊技球通路から排出する遊技球通路部と、
前記遊技球通路から排出された前記遊技媒体を受け取って、前記払出条件が成立すると前記遊技媒体を払い出す払出部と
を有しており、
前記取付部は、
水平方向にスライド移動させることが可能な状態で前記遊技球通路部を保持する遊技球通路部用ガイドレールと、
水平方向にスライド移動させることが可能な状態で前記払出部を保持する払出部用ガイドレールと
を有しており、
前記遊技球通路部は、前記水平方向にスライド移動させることによって、前記受け部からの前記遊技媒体が前記遊技球通路に流入する位置に位置決めした後、前記取付部に取付可能となっており、
前記払出部は、前記水平方向にスライド移動させることによって、前記遊技球通路部の前記遊技球通路からの前記遊技媒体が前記払出部に流入する位置に位置決めした後、前記取付部に取付可能となっている
ことを特徴とする遊技機。
【請求項２】
請求項１に記載の遊技機であって、
前記払出部は、前記遊技球通路部が前記取付部に取り付けられたまま、着脱可能な状態で取り付けられている
ことを特徴とする遊技機。
【発明の詳細な説明】
【技術分野】
【０００１】
本発明は、遊技媒体を利用して遊技を行う遊技機に関する。
【背景技術】
【０００２】
遊技機には、遊技の結果に応じて遊技媒体を払い出す遊技機（例えば、パチンコ機）などがある。このような遊技機では、遊技媒体が無くなると遊技媒体を払い出すことができなくなるため、遊技機の外部から遊技媒体が供給されるようになっている。例えば、外部からの遊技媒体を受けるタンクが設けられ、このタンクに遊技媒体が供給されると、補供給された遊技媒体が遊技球通路を通過し、遊技媒体の払い出しを行う払出装置へ送り出される。
【０００３】
また、上述したタンク、遊技球通路、および払出装置は、互いに一体的に取り付けられており、その状態で１枚のベース部に搭載されている。そして、このベース部を遊技機の本体部に取り付けることで、これらの部材がまとめて本体部に取り付けられ、さらに、これらの部材をまとめてベース部ごと、本体部から取り外せるようになっている（例えば、特許文献１など）。
【先行技術文献】
【特許文献】
【０００４】
【特許文献１】特開２０１０−２６４３０４号公報
【発明の概要】
【発明が解決しようとする課題】
【０００５】
しかし、上記遊技機では、タンク、遊技球通路、および払出装置が互いに一体的に取り付けられているため、故障などが生じて故障部分だけを交換しようとすると、まずこれらの部材全体をベース部から取り外し、さらに部材を分解して故障部分を取り外せるようにしなければならない。このため、故障部分を取り外すことなく部材全体を交換することとなってしまい、部材交換に要する作業負担が大きいという問題があった。
【０００６】
本発明は、上述した課題を解決するためになされたものであり、部材交換に要する作業負担を軽減することを目的とする。
【課題を解決するための手段】
【０００７】
上述した課題の少なくとも一部を解決するために、本発明の遊技機では次の構成を採用した。すなわち、
遊技媒体を利用して遊技を行う遊技機であって、
外部から供給された前記遊技媒体を受け取り、前記遊技によって所定の払出条件が成立すると該遊技媒体を払い出す遊技媒体受け払出機構部と、
前記遊技媒体受け払出機構部が取り付けられる取付部と
を備え、
前記遊技媒体受け払出機構部は、
外部から供給された前記遊技媒体を受け取る受け部と、
前記受け部から前記遊技媒体を受け取って、内部に形成された遊技球通路から排出する遊技球通路部と、
前記遊技球通路から排出された前記遊技媒体を受け取って、前記払出条件が成立すると前記遊技媒体を払い出す払出部と
を有しており、
前記取付部は、
水平方向にスライド移動させることが可能な状態で前記遊技球通路部を保持する遊技球通路部用ガイドレールと、
水平方向にスライド移動させることが可能な状態で前記払出部を保持する払出部用ガイドレールと
を有しており、
前記遊技球通路部は、前記水平方向にスライド移動させることによって、前記受け部からの前記遊技媒体が前記遊技球通路に流入する位置に位置決めした後、前記取付部に取付可能となっており、
前記払出部は、前記水平方向にスライド移動させることによって、前記遊技球通路部の前記遊技球通路からの前記遊技媒体が前記払出部に流入する位置に位置決めした後、前記取付部に取付可能となっている
ことを特徴とする。
【発明の効果】
【０００８】
本発明によれば、部材交換に要する作業負担を軽減することができる。
【図面の簡単な説明】
【０００９】
【図１】本実施例のパチンコ機の正面図である。
【図２】本実施例のパチンコ機の前面枠を開放した状態の分解斜視図である。
【図３】本実施例の遊技盤の盤面構成を示す説明図である。
【図４】本実施例のパチンコ機の中枠を開放した状態の分解斜視図である。
【図５】本実施例のパチンコ機の裏パックを背面側から見た斜視図である。
【図６】本実施例のパチンコ機の裏パックを背面側から見た分解斜視図である。
【図７】本変形例のパチンコ機の払出部の背面図および側面図である。
【図８】本変形例のパチンコ機の払出部をベース部に取り付ける様子を示した説明図である。
【発明を実施するための形態】
【００１０】
上述した本発明の実施例について説明する。以下の実施例は次のような順序に従って説明する。
Ａ．パチンコ機の構成：
Ａ−１．装置前面側の構成：
Ａ−２．装置内側の構成：
Ａ−３．電気的構成：
Ｂ．球受け払出機構部の取り付け構造：
Ｃ．変形例：
【００１１】
尚、本明細書において、「前」および「表」は「遊技者に近接する側（遊技者から見て手前側）」を示し、「後」および「裏」は「遊技機の遊技者から離間する側（遊技者から見て奥側）」を示す。また、「上」とは遊技者から見て「上」であることを示し、「下」とは遊技者から見て「下」であることを示し、「左」とは遊技者から見て「左」であることを示し、「右」とは遊技者から見て「右」であることを示す。
【００１２】
Ａ．パチンコ機の構成  ：
Ａ−１．装置前面側の構成  ：
図１は、本実施例のパチンコ機１の正面図である。図１に示すように、前面枠１１の略中央部には窓部４ａが形成されており、この窓部４ａには合成樹脂製の透明板４ｂが嵌め込まれている。遊技者は、窓部４ａ（透明板４ｂ）を通して奥側に配置される遊技盤２０（図２参照）の遊技領域を視認可能である。また、前面枠１１における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部５０（図３参照）を視認可能である。詳しくは後述するが、セグメント表示部５０とは、複数のＬＥＤの組合せによって遊技に係る情報を表示する表示部である。
【００１３】
前面枠１１における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠１１の中央に大きく開口した窓部４ａの左右上方にはスピーカー６が設けられている。これらの上部ランプ５ａ、右サイドランプ５ｂ、左サイドランプ５ｃ、スピーカー６は、遊技上の演出効果を高めるために駆動される。
【００１４】
前面枠１１における窓部４ａの下方には、上皿部７が設けられている。上皿部７には、パチンコ機１に対応して設けられたカードユニットを介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１５】
前面枠１１における下皿部８の右方には、発射ハンドル９が設けられている。発射ハンドル９の回転軸は、発射ハンドル９の奥側に搭載された発射装置ユニットに接続されている。この発射装置ユニットには、上皿部７に貯留された遊技球が供給される。遊技者が発射ハンドル９を回転させると、その回転が発射装置ユニットに伝達され、発射装置ユニットに内蔵された発射モーターが回転して、回転角度に応じた強さで遊技球が発射される。
【００１６】
Ａ−２．装置内側の構成  ：
図２は、パチンコ機１の前面枠１１を開放した状態の分解斜視図である。図２に示すように、パチンコ機１には、上述した前面枠１１に加え、その背面側に、中枠１２と、裏パック１３と、本体枠１４とが設けられている。前面枠１１は、本体枠１４の一端（正面視左端）に回動可能に軸支されており、中枠１２および本体枠１４に対して前方側に回動可能となっている。また、中枠１２も（前面枠１１と同様に）、本体枠１４の一端（正面視左端）に回動可能に軸支されており、本体枠１４に対して前方側に回動可能となっている。さらに、裏パック１３は、中枠１２の裏側の一端（正面視左端）に回動可能に軸支されており、中枠１２に対して後方側に回動可能となっている。
【００１７】
図２に示すように、中枠１２の前面側には、上述した遊技盤２０が取り付けられており、前面枠１１を前方に開放すると、遊技盤２０が露出された状態となる。
【００１８】
図３は、遊技盤２０の盤面構成を示す説明図である。図３に示すように、遊技盤２０の中央には略円形状の遊技領域２１が形成されている。遊技領域２１の周囲には、発射装置ユニットから発射された遊技球を遊技領域２１へ案内する案内通路が、外レール２２と内レール２３とによって形成されている。発射装置ユニットから発射された遊技球は、この案内通路を通過して遊技領域２１に放出される。
【００１９】
遊技領域２１に放出された遊技球は、遊技領域２１の上部から下方に向かって流下する。遊技領域２１は、前面枠１１の窓部４ａを通して遊技者に視認されるので、当然ながら、遊技領域２１を流下する遊技球の様子も窓部４ａを通して遊技者に視認されることとなる。
【００２０】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。
【００２１】
遊技領域２１における中央装置４０（演出表示装置４１）の下方には、開口部の大きさが不変（一定）であり遊技球が常時入球可能な始動口２４が設けられている。始動口２４に入球した遊技球は、内部に設けられた通路を通って遊技盤２０の裏面側に導かれる。始動口２４の内部の通路には始動口センサーが設けられており、始動口２４に入球した遊技球を検知可能である。
【００２２】
また、遊技領域２１における始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図３では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサーが設けられており、大入賞口２８に入球した遊技球を検知可能である。
【００２３】
始動口センサーによって始動口２４への入球が検知された場合には、３個の遊技球が払い出されるとともに、所定の判定値が取得され、特図保留として記憶される。記憶された特図保留は古いものから順に１つずつ読み出され、読み出した判定値に基づいて大当り判定が行われる。この大当り判定の結果は、セグメント表示部５０の特図表示部にて表示される。例えば、大当り判定の結果が外れであった場合には、特図表示部で識別情報を変動表示させた後、外れに対応した図柄が停止表示される。これに対し、大当り判定の結果が大当りであった場合には、特図表示部で識別情報を変動表示させた後、大当りに対応した図柄が停止表示され、その後、遊技者にとって有利な大当り遊技が実行される。
【００２４】
大当り遊技では、上述した大入賞口２８が開放状態となり、大入賞口２８に多くの遊技球を入球させることが可能となる。また、大入賞口２８に遊技球が入球すると、１３個の遊技球が払い出されるので、大当り遊技では、一度に多くの遊技球が払い出される。
【００２５】
図４は、パチンコ機１の中枠１２を前面側に開放させた状態で、裏パック１３を逆方向（背面側）に回動させた様子を示す分解斜視図である。図４では簡略化して表示されているが、中枠１２の裏側には、遊技に関する制御を統括する主制御基板や、演出に関する制御を司るサブ制御基板、遊技球を払い出す制御を司る払出制御基板などの各種制御基板が取り付けられており、その結果、中枠１２の背面側は、中央部分が背面側に向けて膨出した形状となっている。そして、裏パック１３は、この中枠１２を後方から覆うようにして、中央部分が背面側に向けて膨出した形状となっている。
【００２６】
図５は、裏パック１３を背面側から見た斜視図である。図５に示すように、裏パック１３はベース部６０を有しており、上述したようにこのベース部６０の中央部分が背面側に向けて膨出している。そして、ベース部６０には、膨出部分の周囲に（膨出部分の上方から正面視左方にかけて）、遊技機の外部から供給された遊技球を受け取り、遊技によって所定の払出条件が成立するとその遊技球を払い出す球受け払出機構部２００が搭載されている。尚、裏パック１３のベース部６０が本発明の「取付部」に相当し、球受け払出機構部２００が本発明の「遊技媒体受け払出機構部」に相当する。
【００２７】
この球受け払出機構部２００は、遊技機の外部から供給された遊技球を受け取る受け部７０と、受け部７０から排出された遊技球が通過する遊技球通路部８０と、遊技球通路から排出された遊技球を受けて上記払出条件が成立するとその遊技球を払い出す払出部９０とを有している。
【００２８】
受け部７０は、上方から供給された遊技球を受け取ることができるように、上方に向けて開放した形状となっている。受け部７０には、遊技球を手で供給することもできるが、一般的には、パチンコ機１が設置される島設備から自動的に供給される。受け部７０には、上方から供給された遊技球を受ける受け面が形成されており、受け面は受け部内通路に向けて右下方に傾斜しており、受け部内通路は遊技球通路部８０に向けて左下方に傾斜している。このため、受け部７０に供給された遊技球は、受け面に落下したのち受け部内通路に排出され、受け部内通路に進入した遊技球は、受け部内通路に沿って遊技球通路部８０に送出される。
【００２９】
遊技球通路部８０には、受け部７０に形成された受け部内通路の延長線上に遊技球通路の入口が形成されており、この遊技球通路は、払出部９０に向けて延設されている。このため、受け部７０から送出された遊技球は、遊技球通路部８０の遊技球通路を通過して払出部９０に送出される。
【００３０】
払出部９０には、遊技球通路部８０に形成された遊技球通路の延長線上に払出部内通路の入口が形成されており、遊技球通路部８０の遊技球通路から送出された遊技球が払出部内通路を経て払出部９０に供給される。また、払出部９０には、遊技球を払い出すように駆動する払出モーターが設けられており、この払出モーターが駆動することで遊技球が１個ずつ払い出される。払出部９０から裏パック１３の前面側に払い出された遊技球は、中枠１２に形成された通路を通じて上述した上皿部７、または下皿部８に排出される。また、払出部９０には、払い出した遊技球を検知する払出検知センサーが設けられており、払出部９０から払い出された遊技球が検知可能となっている。
【００３１】
尚、受け部７０、遊技球通路部８０、払出部９０がそれぞれ「第２所定部」に相当する。また、受け部７０を「第２所定部」とした場合には、遊技球通路部８０および払出部９０が「第１所定部」に相当し、遊技球通路部８０を「第２所定部」とした場合には、受け部７０および払出部９０が「第１所定部」に相当し、払出部９０を「第２所定部」とした場合には、受け部７０および遊技球通路部８０が「第１所定部」に相当する。
【００３２】
Ａ−３．電気的構成  ：
上述した払出部９０の動作は、中枠１２の背面側に取り付けられた払出制御基板によって制御されており、払出制御基板は主制御基板に接続されている。更に、主制御基板にはサブ制御基板も接続されている。そして、主制御基板と、サブ制御基板と、払出制御基板とは、以下のように役割分担することによって、パチンコ機１で行われる遊技の進行を制御している。
【００３３】
先ず、上述した主制御基板には、始動口センサーや大入賞口センサーなど各種センサーが電気的に接続されており、各種センサーからの検知に基づいて様々な処理が行われる。例えば、主制御基板には、サブ制御基板や払出制御基板などが電気的に接続されており、これらの基板に向けて遊技に関する情報などが出力される。
【００３４】
サブ制御基板には、上述した上部ランプ５ａ、右サイドランプ５ｂ、左サイドランプ５ｃ、スピーカー６、演出表示装置４１などが電気的に接続されており、主制御基板から受信した信号に基づいてこれらの装置が制御される。例えば、遊技の進行に合わせて演出が実行されるように、これらの装置が制御される。
【００３５】
払出制御基板には、上述した払出部９０が電気的に接続されており、主制御基板から遊技球の払出コマンドを受信すると、払出部９０を通じて遊技球の払い出しを行う。本実施例では、始動口センサーや大入賞口センサーなどで遊技球の入球が検知されると、払い出す遊技球の数を含む払出コマンドが主制御基板から払出制御基板に向けて出力される。払出制御基板は、この払出コマンドを受信すると、その払出コマンドに基づいて払い出す遊技球の数を特定し、特定した数をＲＡＭの残払出数記憶領域に加算して記憶した後、払出部９０の払出モーターを駆動させて遊技球の払い出しを開始する。そして、払出制御基板は、払出検知センサーからの検知信号を受信する毎に、残払出数記憶領域の値を１減算し、０になると払出モーターの駆動を停止させて、遊技球の払い出しを終了する。
【００３６】
Ｂ．球受け払出機構部の取り付け構造  ：
図６は、裏パック１３を背面側から見た分解斜視図である。図６に示すように、本実施例では、球受け払出機構部２００を構成する受け部７０、遊技球通路部８０、および払出部９０がベース部６０に対して個別に取り付け可能となっている。
【００３７】
図６の例では、受け部７０は、左右方向に長い略矩形状の本体部７１を有しており、この本体部７１の右面のベース部６０側上部には、外側に向けて延設された延設部７２が形成されている。更に、延設部７２の下面には下方に延びる棒状の受け部側係合部７３が形成されている。この受け部側係合部７３に対応して、ベース部６０には、筒状のベース部側係合部６１が形成されており、受け部側係合部７３がベース部側係合部６１に挿入されることで、受け部７０がベース部６０に軸支される。
【００３８】
受け部７０は、ベース部６０に軸支された状態でベース部６０にネジ止めされることで固定される。図６の例では、受け部７０の下面のベース部６０側端部に、下方に延設された取付板部７４が形成されており、この取付板部７４には、ネジ７７が挿通する挿通口７５が所定数（本実施例では３つ）形成されている。また、ベース部６０には、ネジ７７が取り付けられるネジ穴６２が所定数（本実施例では３つ）形成されており、ネジ７７が挿通口７５を貫通してネジ穴６２に取り付けられることで、受け部７０がベース部６０に固定される。従って、ネジ７７、挿通口７５、およびネジ穴６２が「固定部」に相当する。
【００３９】
また、受け部７０は、受け部側係合部７３がベース部側係合部６１に軸支されることで、受け部側係合部７３の軸方向と直交する方向、および下方向への変位が規制される。この状態で、受け部７０をベース部６０に当接させると、受け部７０の挿通口７５とベース部６０のネジ穴６２とが前後方向に重なるように構成されており、このため、支持されていない状態でネジ止めする場合と比較してネジ止めが行いやすくなっている。従って、受け部７０は、ベース部側係合部６１によって、上下方向および左右方向の位置決めがされる構成となっており、ベース部側係合部６１が「位置決め部」に相当する。
【００４０】
受け部７０をベース部６０から取り外す場合には、ネジ７７を取り外し、上方へ持ち上げて係合状態を解除することで個別に取り外すことができる。このため、球受け払出機構部２００を構成する遊技球通路部８０と払出部９０とがベース部６０に取り付けられたままの状態で、受け部７０だけをベース部６０から取り外すことができる。従って、受け部７０に故障が生じた場合であっても、故障した受け部７０だけを取り外して交換することができるので、部材交換の作業負担を軽減することが可能となっている。
【００４１】
また、受け部７０は、ネジ７７だけでなく、ベース部側係合部６１によっても支持されているため、固定するために必要なネジの数を減らすことができ、その結果、部材交換の作業負担を軽減することが可能となっている。
【００４２】
遊技球通路部８０は、上下方向に長い略矩形状の本体部８１を有しており、本体部８１のベース部６０側の上下端部には、ベース部６０に形成されたガイドレール６３，６４と係合する遊技球通路部側係合部８２，８３が形成されている。このため、遊技球通路部８０は、ガイドレール６３，６４と遊技球通路部側係合部８２，８３とが係合することで、ガイドレール６３，６４に沿ってスライド移動が可能となっている。本実施例では、ガイドレール６３，６４は左右方向に延びているため、遊技球通路部８０は、左右方向にスライド移動が可能となっている。
【００４３】
遊技球通路部８０は、ベース部６０と係合した後、ベース部６０に対してネジ止めされることで固定される。図６の例では、遊技球通路部８０の右面のベース部６０側端部に、右方に延設された取付板部８４が形成されており、取付板部８４には、ネジ８７が挿通する挿通口８５が所定数（本実施例では２つ）形成されている。また、ベース部６０には、ネジ８７が取り付けられるネジ穴６５が所定数（本実施例では２つ）形成されており、ネジ８７が挿通口８５を貫通してネジ穴６５に取り付けられることで、受け部７０がベース部６０に固定される。従って、ネジ８７、挿通口８５、およびネジ穴６５が「固定部」に相当する。
【００４４】
また、遊技球通路部８０は、ガイドレール６３，６４に嵌め込むことで、スライド移動する方向と直交する方向、および遊技球通路部８０の進入方向への変位が規制される。このように、スライド移動する方向と直交する方向、および遊技球通路部８０の進入方向への変位が規制された状態では、遊技球通路部８０の挿通口８５とベース部６０のネジ穴６５とが前後方向に重なるように構成されており、このため、ネジ８７を挿通口８５およびネジ穴６５に通しやすくなるので、ネジ止めが行いやすくなっている。すなわち、遊技球通路部８０は、ガイドレール６３，６４によって上下方向および左右方向の位置決めがされる構成となっており、ガイドレール６３，６４が「位置決め部」に相当する。
【００４５】
遊技球通路部８０をベース部６０から取り外す場合には、ネジ８７を取り外し、左方へスライド移動させることで個別に取り外すことができる。このため、球受け払出機構部２００を構成する受け部７０と払出部９０とがベース部６０に取り付けられたままの状態で、遊技球通路部８０だけをベース部６０から取り外すことができる。従って、遊技球通路部８０に故障が生じた場合であっても、故障した遊技球通路部８０だけを取り外して交換することができるので、部材交換の作業負担を軽減することが可能となっている。
【００４６】
また、遊技球通路部８０は、ネジ８７だけでなく、ガイドレール６３，６４によっても支持されているため、ベース部６０に固定するために必要なネジの数を減らすことができ、その結果、部材交換の作業負担を軽減することが可能となっている。
【００４７】
払出部９０は、上下方向に長い略矩形状の本体部９１を有しており、本体部９１のベース部６０側の上下端部には、ベース部６０に形成されたガイドレール６６，６７と係合する払出部側係合部９２，９３が形成されている。このため、払出部９０は、ガイドレール６６，６７と払出部側係合部９２，９３とが係合することで、ガイドレール６６，６７に沿ってスライド移動が可能となっている。本実施例では、ガイドレール６６，６７は左右方向に延びているため、払出部９０は、左右方向にスライド移動が可能となっている。
【００４８】
払出部９０は、ベース部６０と係合した後、ベース部６０に対してネジ止めされることで固定される。図６の例では、払出部９０の右面のベース部６０側端部に、右方に延設された取付板部９４が形成されており、取付板部９４には、ネジ９７が挿通する挿通口９５が所定数（本実施例では２つ）形成されている。また、ベース部６０には、ネジ９７が取り付けられるネジ穴６８が所定数（本実施例では２つ）形成されており、ネジ９７が挿通口９５を貫通してネジ穴６８に取り付けられることで、受け部７０がベース部６０に固定される。すなわち、ネジ９７、挿通口９５、およびネジ穴６８が「固定部」に相当する。
【００４９】
また、払出部９０は、ガイドレール６６，６７に嵌め込むことで、スライド移動する方向と直交する方向、および払出部９０の進入方向への変位が規制される。このように、スライド移動する方向と直交する方向、および払出部９０の進入方向への変位が規制された状態では、払出部９０の挿通口９５とベース部６０のネジ穴６８とが前後方向に重なるように構成されており、このため、ネジ９７を挿通口９５およびネジ穴６８に通しやすくなるので、ネジ止めが行いやすくなっている。すなわち、払出部９０は、ガイドレール６６，６７によって上下方向および左右方向の位置決めがされる構成となっており、ガイドレール６６，６７が「位置決め部」に相当する。
【００５０】
払出部９０をベース部６０から取り外す場合には、ネジ９７を取り外し、左方へスライド移動させることで個別に取り外すことができる。このため、球受け払出機構部２００を構成する受け部７０と遊技球通路部８０とがベース部６０に取り付けられたままの状態で、払出部９０だけをベース部６０から取り外すことができる。従って、払出部９０に故障が生じた場合であっても、故障した払出部９０だけを取り外して交換することができるので、部材交換の作業負担を軽減することが可能となっている。
【００５１】
また、払出部９０は、ネジ９７だけでなく、ガイドレール６６，６７によっても支持されているため、ベース部６０に固定するために必要なネジの数を減らすことができ、その結果、部材交換の作業負担を軽減することが可能となっている。
【００５２】
以上説明したように、本実施例のパチンコ機１では、球受け払出機構部２００を構成する受け部７０、遊技球通路部８０、および払出部９０がベース部６０から個別に着脱可能となっている。従来のパチンコ機では、球受け払出機構部を構成する各部材が互いに一体的に形成されており、球受け払出機構部全体としてベース部に固定された状態で中枠に取り付けられている。このため、球受け払出機構部の一部に故障が生じて故障部分を交換しようとした場合には、先ず球受け払出機構部をベース部から取り外して、さらに球受け払出機構部を分解して故障部分を取り出さなければならなかった。この点、本実施例のパチンコ機１では、球受け払出機構部２００を構成する受け部７０、遊技球通路部８０、および払出部９０がベース部６０から個別に着脱可能となっているので、一部の部材が故障した場合であっても故障した部分だけを取り外して交換することができ、その結果、部材交換の作業負担を軽減することが可能となっている。
【００５３】
尚、上記の実施例では、球受け払出機構部２００が裏パック１３のベース部６０に取り付けられる構成としたが、別の部材に取り付けられる構成としてもよい。例えば、球受け払出機構部２００が中枠１２に取り付けられる構成としてもよい。この場合には、中枠１２が本発明の「取付部」に相当する。
【００５４】
上記の実施例では、球受け払出機構部２００を３つの部材で構成したが、２の部材で構成してもよいし、４つ以上の部材で構成してもよい。２つの部材で構成する例としては、受け部と払出部とで構成するようにしてもよい。
【００５５】
上記の実施例では、受け部７０が軸支された後にネジ止めする構成としたが、遊技球通路部８０や払出部９０のように、レールに沿ってスライド移動された後にネジ止めする構成としてもよい。また、遊技球通路部８０または払出部９０は、レールに沿ってスライド移動された後にネジ止めする構成としたが、受け部７０のように軸支された後にネジ止めする構成としてもよい。
【００５６】
上記の実施例では、球受け払出機構部２００を構成する受け部７０、遊技球通路部８０、および払出部９０が、それぞれ係合された後に、ネジで固定される構成となっているが、球受け払出機構部２００が一体的に構成されている従来の構成と比較して、球受け払出機構部２００を構成する部材の交換の作業負担を軽減するという観点からすれば、少なくとも一の部材が単独で着脱可能であればよい。例えば、単独で着脱可能であれば、ネジだけで固定される構成であってもよい。
【００５７】
Ｃ．変形例  ：
上述した実施例では、球受け払出機構部２００を構成する受け部７０、遊技球通路部８０、および払出部９０が、それぞれ係合された後に、ネジで固定される構成となっているが、球受け払出機構部２００が一体的に構成されている従来の構成と比較して、球受け払出機構部２００を構成する部材の交換の作業負担を軽減するという観点からすれば、少なくとも一の部材が単独で着脱可能であればよく、別の取り付け構造を採用してもよい。例えば、ネジ止めさえすることなく固定できる構成とすれば、より一層部材交換の作業負担を軽減することが可能となる。本変形例では、ネジ止めをせずに固定することができる構成の一例について説明する。尚、上述した実施例と重複する部分については説明を省略し、主に異なる部分について説明する。
【００５８】
本変形例では、払出部９０に代えて、払出部１００が例示されている。図７（ａ）は、払出部１００の背面図であり、図７（ｂ）は、払出部１００の右側面図である。図７に示すように、払出部１００の右面のベース部６０側の端部には、係止部１３１，１３６を有する係止部材１３０が設けられている。そして、払出部１００には、この係止部材１３０の前後方向への変位を規制する前側規制部１１０，１１５と、後側規制部１２０，１２５とが形成されており、係止部材１３０は、これら前側規制部１１０，１１５および後側規制部１２０，１２５によって前後方向の変位が規制されている。また、後側規制部１２０，１２５には、開口部１２１，１２６が形成されており、係止部材１３０には、この開口部１２１，１２６を貫通する突起状の解除操作部１３２，１３７が形成されている。このため、係止部材１３０は、解除操作部１３２，１３７が開口部１２１，１２６内で変位可能な範囲内で遊嵌された状態となっている。本実施例の開口部１２１，１２６は上下方向に長く、左右方向の幅は解除操作部１３２，１３７の幅とほぼ同じ長さの楕円形状となっているため、係止部材１３０は、左右方向への移動がほぼできず、実質的に上下方向の移動のみが許容されている。
【００５９】
払出部１００には、係止部材１３０の下方に延設部１４０が形成され、この延設部１４０の背面側には支柱１４１が形成されており、この支柱１４１と上述した解除操作部１３７との間には付勢手段としてのバネ１４２が取り付けられている。このバネ１４２の付勢力によって係止部材１３０は下方に付勢されている。
【００６０】
図８では、払出部１００がベース部６０に取り付けられる様子が示されている。図８（ａ）に示すように、ベース部６０には、ガイドレール１５１，１５２が形成されており、さらに、払出部１００の係止部１３１，１３６に対応して係止受部１５３，１５４が形成されている。図８（ｂ）に示すように、係止受部１５３，１５４は、払出部１００をガイドレール１５１，１５２に沿ってスライド移動させると、係止部１３１，１３６と係止受部１５３，１５４とがちょうど接触する位置に配置されている。また、係止部１３１，１３６は左下方に傾斜しているため、払出部１００をガイドレール１５１，１５２に沿ってスライド移動させると、係止部１３１，１３６が係止受部１５３，１５４に押し出されて、係止部材１３０は上方へ移動する。さらに払出部１００をガイドレール１５１，１５２に沿ってスライド移動させて、係止受部１５３，１５４が係止部１３１，１３６の裏側に到達すると、係止部材１３０はバネ１４２の付勢力によって下方へ移動し、図８（ｃ）に示すように、係止受部１５３，１５４が係止部１３１，１３６の裏側の溝部に嵌まり込む。これによって、払出部１００は左右方向への移動が規制され、ベース部６０に固定される。
【００６１】
払出部１００をベース部６０から取り外す場合には、解除操作部１３２，１３７のうち何れか一方を付勢方向の反対方向（上方向）に動かすことで係止部１３１，１３６と係止受部１５３，１５４との係止状態を解除することができ、そのまま左方向へ移動させることで取り外すことができる。このように、本変形例の構成によれば、払出部１００をガイドレール１５１，１５２に沿ってスライド移動させるだけでベース部６０に固定させることができ、また、解除操作部１３２，１３７を操作して係止状態を解除し、左方向へ引き出すだけで取り外すことができるため、部材交換の作業負担をより一層軽減させることが可能となる。
【００６２】
尚、本変形例では、払出部の取り付け構造について説明したが、球受け払出機構部２００を構成する別の部材（受け部７０や遊技球通路部８０など）について上記変形例の構成を採用してもよい。
【００６３】
以上、本発明の実施例および変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００６４】
また、上述した実施例または変形例のパチンコ機は、次のような遊技機として捉えることもできる。
【００６５】
＜遊技機Ａ１＞
遊技媒体を利用して遊技を行う遊技機であって、
外部から供給された前記遊技媒体を受け取り、前記遊技によって所定の払出条件が成立すると該遊技媒体を払い出す遊技媒体受け払出機構部と、
前記遊技媒体受け払出機構部が取り付けられる取付部と、
を備え、
前記遊技媒体受け払出機構部は、第１所定部と第２所定部とを有しているとともに、該第１所定部が前記取付部に対して取り付けられたままの状態で、該第２所定部を着脱可能に取り付けられている
ことを特徴とする遊技機。
【００６６】
このような遊技機では、外部から供給された遊技媒体を受け取り、所定の払出条件が成立するとその遊技媒体を払い出す遊技媒体受け払出機構部が設けられている。そして、この遊技媒体受け払出機構部は、第１所定部と第２所定部とを有しているとともに、第１所定部が前記取付部に対して取り付けられたままの状態で、第２所定部を着脱可能に取り付けられている。このため、上記第２所定部に故障が生じた場合には、故障部分にあたる第２所定部だけを着脱することができるので、部材交換に要する作業負担を軽減することが可能となる。
【００６７】
＜遊技機Ａ２＞
遊技機Ａ１に記載の遊技機であって、
前記取付部は、前記遊技媒体受け払出機構部の前記第２所定部が所定方向に移動することを規制することによって、該所定方向の位置決めをする位置決め部を有し、
前記位置決めされた前記第２所定部を、前記取付部に対して着脱可能に固定する固定部を備える
ことを特徴とする遊技機。
【００６８】
こうすれば、上記遊技媒体受け払出機構部の第２所定部は、上記所定方向の位置決めをした状態で取付部に対して着脱可能に固定される。このため、固定部のみで固定する場合と比較して、固定する箇所を減らすことができる。よって、固定部の固定状態を解除する作業負担を軽減することができるので、その結果、部材交換に要する作業負担を軽減することが可能となる。
【００６９】
＜遊技機Ａ３＞
遊技機Ａ２に記載の遊技機であって、
前記固定部は、前記取付部に形成された係止部または係止受部と、該係止部または該係止受部に対応して前記遊技媒体受け払出機構部の前記第２所定部に形成された係止受部または係止部とで構成されており、
前記第２所定部は、前記係止部と前記係止受部とが係止することによって前記取付部に固定され、
前記取付部または前記第２所定部には、所定の解除操作が行われることで前記係止部または前記係止受部を変位させ、前記係止部と前記係止受部との係止状態を解除する解除操作部が形成されている
ことを特徴とする遊技機。
【００７０】
こうすれば、従業員等は、解除操作部に対して所定の解除操作を行うだけで係止状態を解除することができるので、取り外しに工具も必要とせず、上記第２所定部の取り外しが極めて簡単になる。その結果、部材交換に要する作業負担を、より一層軽減することが可能となる。
【００７１】
＜遊技機Ａ４＞
遊技機Ａ２または遊技機Ａ３に記載の遊技機であって、
前記位置決め部は、前記第２所定部と係合するレールであり、
前記レールと係合した前記第２所定部は、該レールに沿ってスライド移動する
ことを特徴とする遊技機。
【００７２】
こうすれば、上記第２所定部はレールと係合することによって安定し、その安定した状態で着脱することができるので、着脱作業が行いやすくなる。また、安定した状態で固定するので、少ない数の固定部でも安定して固定することができる。このため、固定部を固定または取り外す作業負担が軽減され、その結果、部材交換に要する作業負担を、より一層軽減することが可能となる。
【産業上の利用可能性】
【００７３】
本発明は、遊技媒体を利用して遊技を行う遊技機に利用することができる。
【符号の説明】
【００７４】
１…パチンコ機（遊技機）、    １２…中枠、    １３…裏パック、    ６０…ベース部、    ６１…ベース部側係合部（位置決め部）、    ６２…ネジ穴（固定部）、    ６３，６４…ガイドレール（位置決め部）、    ６５…ネジ穴（固定部）、    ６６，６７…ガイドレール（位置決め部）、    ６８…ネジ穴（固定部）、    ７０…受け部（第１所定部または第２所定部）、    ７３…受け部側係合部、    ７４…取付板部（固定部）、    ７５…挿通口、    ７７…ネジ（固定部）、    ８０…遊技球通路部（第１所定部または第２所定部）、    ８２…遊技球通路部側係合部、    ８４…取付板部（固定部）、    ８５…挿通口、    ８７…ネジ（固定部）、    ９０…払出部（第１所定部または第２所定部）、    ９２…払出部側係合部、    ９４…取付板部（固定部）、    ９５…挿通口、    ９７…ネジ（固定部）、    １３１，１３６…係止部、    １３２，１３７…解除操作部、    １５１…ガイドレール（位置決め部）、    １５３，１５４…係止受部、    ２００…球受け払出機構部。
【図１】
2018143813.tif 000003
【図２】
2018143813.tif 000004
【図３】
2018143813.tif 000005
【図４】
2018143813.tif 000006
【図５】
2018143813.tif 000007
【図６】
2018143813.tif 000008
【図７】
2018143813.tif 000009
【図８】
2018143813.tif 000010